【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  デ−タ通信を行うための通信手段を備え、自己の識別情報が
割り付けられた制御装置であって、
前記自己の識別情報と、通信可能に接続された他の制御装置の識別情報とを含
む情報を記憶する識別情報テ−ブルを有する記憶手段を備えていることを特徴と
する制御装置。
【請求項２】  請求項１記載の制御装置が、複数個通信可能に接続されて構
成される制御システムであって、
各制御装置が、
自己の識別情報を他の制御装置に送信する第１の識別情報送信手段と、
前記他の制御装置から送信されてくる識別情報を受信する識別情報受信手段と
、
該識別情報受信手段により受信した前記他の制御装置の識別情報を前記自己の
識別情報とともに登録更新情報を付して自己の識別情報テ−ブルに記憶する第１
の記憶処理手段とを備えていることを特徴とする制御システム。
【請求項３】  前記第１の記憶処理手段による最初の記憶処理が、これら制
御装置を接続した後の最初の通電時に行われるものであることを特徴とする請求
項２記載の制御システム。
【請求項４】  前記制御装置が、
前記自己の識別情報テ−ブルから読み出したテ−ブル情報と、前記他の制御装
置の識別情報テ−ブルから読み出されたテ−ブル情報とを比較するテ−ブル情報
比較手段を備え、
該テ−ブル情報比較手段による比較の結果、テ−ブル情報が異なる制御装置が
接続されていることが判明した場合、
前記第１の記憶処理手段が、前記テ−ブル情報が異なる制御装置の識別情報を
他の制御装置の識別情報とともに新しい登録更新情報を付して前記自己の識別情
報テ−ブルに記憶するものであることを特徴とする請求項２記載の制御システム
。
【請求項５】  前記制御装置が、
前記テ−ブル情報比較手段による比較の結果、テ−ブル情報が異なる制御装置
が接続されていることが判明した場合、前記自己の識別情報テ−ブルに記憶され
ている履歴情報を前記テ−ブル情報が異なる制御装置に送信する第２の識別情報
送信手段を備え、
前記テ−ブル情報が異なる制御装置が、
前記第２の識別情報送信手段により送信されてきた履歴情報を自己の識別情報
テ−ブルに記憶する第２の記憶処理手段を備えていることを特徴とする請求項４
記載の制御システム。
【請求項６】  前記テ−ブル情報比較手段による比較処理が、所定のタイミ
ングで行われるものであることを特徴とする請求項４又は請求項５記載の制御シ
ステム。
【請求項７】  前記制御装置の識別情報テ−ブルに記憶されたテ−ブル情報
を読み出すための読出手段を備え、
該読出手段が、
前記制御装置に対して前記識別情報テ−ブルに記憶されたテ−ブル情報の転送
を要求する転送要求手段と、
該転送要求手段による転送要求に基づいて前記制御装置から転送されてきた前
記テ−ブル情報を告知する告知手段とを備え、
前記制御装置が、
前記読出手段からの転送要求に基づいて自己の識別情報テ−ブルに記憶されて
いるテ−ブル情報を前記読出手段に転送する転送手段を備えていることを特徴と
する請求項２〜６のいずれかの項に記載の制御システム。
【請求項８】  前記告知手段が、車両に設置されたインジケ−タランプを含
んで構成されていることを特徴とする請求項７記載の制御システム。
【請求項９】 デ−タ通信を行うための通信手段を備え、自己の識別情報が
割り付けられた制御装置であって、
前記自己の識別情報と、通信可能な他の制御装置の識別情報とを含む情報を記
憶する記憶手段を備えていることを特徴とする制御装置。
【請求項１０】 デ−タ通信を行うための通信手段を備え、自己の識別情報
が割り付けられた制御装置であって、
自己及び通信可能な他の制御装置における識別情報の履歴情報を記憶する記憶
手段と、
該記憶手段に記憶された識別情報と、前記他の制御装置から受信した現在の識
別情報とを比較する比較手段と、
該比較手段による比較によって識別情報が異なる制御装置があることが検出さ
れた場合、該識別情報が異なる制御装置に対して、前記記憶手段に記憶された識
別情報の履歴情報を送信する履歴情報送信手段とを備えていることを特徴とする
制御装置。
【請求項１１】 デ−タ通信を行うための通信手段を備え、自己の識別情報
が割り付けられた制御装置であって、
自己及び通信可能な他の制御装置における識別情報の履歴情報を記憶する記憶
手段と、
前記他の制御装置から識別情報の履歴情報を受信した場合に、受信した識別情
報の履歴情報に基づいて前記記憶手段における識別情報の履歴情報を更新する履
歴情報更新手段とを備えていることを特徴とする制御装置。
【請求項１２】 デ−タ通信を行うための通信手段を備え、自己の識別情報
が割り付けられた制御装置が、複数個通信可能な構成とされる制御システムであ
って、
各制御装置が、
自己及び通信可能な他の制御装置における識別情報の履歴情報を記憶する記憶
手段と、
該記憶手段に記憶された識別情報と、前記他の制御装置から受信した現在の識
別情報とを比較する比較手段と、
該比較手段による比較によって識別情報が異なる制御装置があることが検出さ
れた場合、該識別情報が異なる制御装置に対して、前記記憶手段に記憶された識
別情報の履歴情報を送信する履歴情報送信手段と、
他の制御装置の前記履歴情報送信手段から識別情報の履歴情報を受信した場合
、受信した識別情報の履歴情報に基づいて前記記憶手段における識別情報の履歴
情報を更新する履歴情報更新手段とを備えていることを特徴とする制御システム
。 
【請求項１３】 デ−タ通信を行うための通信手段を備え、自己の識別情報
が割り付けられた制御装置であって、
前記自己の識別情報と、通信可能な他の制御装置の識別情報とともに制御対象
部品の識別情報を併せて記憶する記憶手段を備えていることを特徴とする制御装
置。
【請求項１４】 自己及び通信可能な他の制御装置の識別情報の履歴情報を
記憶する記憶手段を有する制御装置と、
該制御装置に対して、記憶された識別情報の履歴情報の転送要求を行う転送要
求手段、該転送要求手段に応じて前記制御装置から送信されてきた識別情報の履
歴情報を受信する履歴情報受信手段、及び該履歴情報受信手段によって受信した
履歴情報を表示する履歴情報表示手段を有する情報表示装置とを備えていること
を特徴とする制御システム。
【請求項１５】 デ−タ通信を行うための通信手段を備え、自己の識別情報
が割り付けられた制御装置であって、
自己及び通信可能な他の制御装置における識別情報の履歴情報を記憶する記憶
手段と、
外部から履歴情報の出力要求を受けると識別情報の履歴情報を送信する履歴情
報送信手段とを備えていることを特徴とする制御装置。
【請求項１６】 自己及び通信可能な他の制御装置における識別情報の履歴
情報を記憶する記憶手段を有する制御装置と、情報表示装置との間で行われる履
歴情報表示方法であって、
前記情報表示装置が、前記制御装置に対して、前記記憶手段に記憶された前記
識別情報の履歴情報の転送要求を行うステップと、
前記制御装置が、前記情報表示装置から前記転送要求を受けると、前記記憶手
段から前記識別情報の履歴情報を読み出し、前記情報表示装置へ送信するステッ
プと、
前記情報表示装置が、前記制御装置から受信した前記識別情報の履歴情報を表
示するステップとを含むことを特徴とする履歴情報表示方法。
【請求項１７】 車内ＬＡＮを介してデ−タ通信を行うための通信手段を備
え、自己の識別情報が割り付けられた車両用制御装置であって、
前記自己の識別情報と、前記車内ＬＡＮによって通信可能に接続された他の制
御装置の識別情報とを含む情報を記憶する記憶手段を備えていることを特徴とす
る車両用制御装置。
【請求項１８】 車内ＬＡＮを介してデ−タ通信を行うための通信手段を備
え、自己の識別情報が割り付けられた車両用制御装置であって、
自己及び前記車内ＬＡＮによって通信可能な他の制御装置における識別情報の
履歴情報を記憶する記憶手段を備え、
前記他の制御装置と接続した後の最初の通電時に、自己及び他の制御装置にお
ける識別情報の履歴情報を前記記憶手段に記憶するように構成されていることを
特徴とする車両用制御装置。
【請求項１９】 車内ＬＡＮを介してデ−タ通信を行うための通信手段を備
え、自己の識別情報が割り付けられた車両用制御装置であって、
自己及び前記車内ＬＡＮによって通信可能な他の制御装置における識別情報の
履歴情報を記憶する記憶手段と、
該記憶手段に記憶された識別情報と、前記他の制御装置から受信した現在の識
別情報とを比較する比較手段と、
該比較手段による比較によって識別情報が異なる制御装置があることが検出さ
れた場合、該異なる制御装置の識別情報を付して前記記憶手段に記憶された識別
情報の履歴情報を更新する履歴情報更新手段とを備えていることを特徴とする車
両用制御装置。
【手続補正２】
【補正対象書類名】明細書
【補正対象項目名】００２５
【補正方法】変更
【補正の内容】
【００２５】
上記制御システム（７）によれば、交換・修理等の行われた制御装置が分かる
ように前記インジケ−タランプを点滅表示させることにより、交換・修理等の行
われた制御装置をユ−ザに告知することができ、交換・修理歴等の情報をコスト
をかけることなく、車両から直接検出することができる。
また本発明に係る制御装置（２）は、デ−タ通信を行うための通信手段を備え
、自己の識別情報が割り付けられた制御装置であって、前記自己の識別情報と、
通信可能な他の制御装置の識別情報とを含む情報を記憶する記憶手段を備えてい
ることを特徴としている。
上記制御装置（２）によれば、前記自己の識別情報と、前記他の制御装置の識
別情報とを含む情報を記憶する記憶手段を備えているので、前記自己の識別情報
と、前記他の制御装置の識別情報との共有化を図ることができ、前記自己の識別
情報に加え、前記他の制御装置の識別情報の読み出し等が可能となり、前記記憶
手段に記憶された情報を前記制御装置の交換・修理歴等を確認するための処理に
活用することができる。
また本発明に係る制御装置（３）は、デ−タ通信を行うための通信手段を備え
、自己の識別情報が割り付けられた制御装置であって、自己及び通信可能な他の
制御装置における識別情報の履歴情報を記憶する記憶手段と、該記憶手段に記憶
された識別情報と、前記他の制御装置から受信した現在の識別情報とを比較する
比較手段と、該比較手段による比較によって識別情報が異なる制御装置があるこ
とが検出された場合、該識別情報が異なる制御装置に対して、前記記憶手段に記
憶された識別情報の履歴情報を送信する履歴情報送信手段とを備えていることを
特徴としている。
上記制御装置（３）によれば、前記比較手段による比較によって識別情報が異
なる制御装置があることが検出された場合、該識別情報が異なる制御装置に対し
て、前記記憶手段に記憶された識別情報の履歴情報が送信されるので、前記識別
情報が異なる制御装置の記憶手段に前記履歴情報を記憶させることができ、シス
テム内の制御装置が交換された場合でも、前記記憶手段に記憶された情報の共有
化を図ることができ、いずれの制御装置からも、整合性のとれた同一の履歴情報
を読み出すことが可能となる。
また本発明に係る制御装置（４）は、デ−タ通信を行うための通信手段を備え
、自己の識別情報が割り付けられた制御装置であって、自己及び通信可能な他の
制御装置における識別情報の履歴情報を記憶する記憶手段と、前記他の制御装置
から識別情報の履歴情報を受信した場合に、受信した識別情報の履歴情報に基づ
いて前記記憶手段における識別情報の履歴情報を更新する履歴情報更新手段とを
備えていることを特徴としている。
上記制御装置（４）によれば、前記他の制御装置から識別情報の履歴情報を受
信した場合に、受信した識別情報の履歴情報に基づいて前記記憶手段における識
別情報の履歴情報が更新されるので、前記他の制御装置との間で前記識別情報の
共有化を図ることができる。
また本発明に係る制御システム（８）は、デ−タ通信を行うための通信手段を
備え、自己の識別情報が割り付けられた制御装置が、複数個通信可能な構成とさ
れる制御システムであって、各制御装置が、自己及び通信可能な他の制御装置に
おける識別情報の履歴情報を記憶する記憶手段と、該記憶手段に記憶された識別
情報と、前記他の制御装置から受信した現在の識別情報とを比較する比較手段と
、該比較手段による比較によって識別情報が異なる制御装置があることが検出さ
れた場合、該識別情報が異なる制御装置に対して、前記記憶手段に記憶された識
別情報の履歴情報を送信する履歴情報送信手段と、他の制御装置の前記履歴情報
送信手段から識別情報の履歴情報を受信した場合、受信した識別情報の履歴情報
に基づいて前記記憶手段における識別情報の履歴情報を更新する履歴情報更新手
段とを備えていることを特徴としている。
上記制御システム（８）によれば、前記比較手段による比較によって識別情報
が異なる制御装置があることが検出された場合、該識別情報が異なる制御装置に
対して、前記記憶手段に記憶された識別情報の履歴情報が送信されるので、前記
識別情報が異なる制御装置の記憶手段に前記履歴情報を記憶させることができ、
システム内の制御装置が交換された場合でも、前記記憶手段に記憶された情報の
共有化を図ることができる。
また、前記他の制御装置から識別情報の履歴情報を受信した場合に、受信した
識別情報の履歴情報に基づいて前記記憶手段における識別情報の履歴情報が更新
されるので、前記他の制御装置との間で前記識別情報の共有化を図ることができ
、いずれの制御装置からも、整合性のとれた同一の履歴情報を読み出すことが可
能なシステムとすることができる。
また本発明に係る制御装置（５）は、デ−タ通信を行うための通信手段を備え
、自己の識別情報が割り付けられた制御装置であって、前記自己の識別情報と、
通信可能な他の制御装置の識別情報とともに制御対象部品の識別情報を併せて記
憶する記憶手段を備えていることを特徴としている。
上記制御装置（５）によれば、前記自己の識別情報と、通信可能な他の制御装
置の識別情報とともに制御対象部品の識別情報を併せて記憶する記憶手段を備え
ているので、さらに詳細な交換・修理歴情報を確認することが可能となる。
また本発明に係る制御システム（９）は、自己及び通信可能な他の制御装置の
識別情報の履歴情報を記憶する記憶手段を有する制御装置と、該制御装置に対し
て、記憶された識別情報の履歴情報の転送要求を行う転送要求手段、該転送要求
手段に応じて前記制御装置から送信されてきた識別情報の履歴情報を受信する履
歴情報受信手段、及び該履歴情報受信手段によって受信した履歴情報を表示する
履歴情報表示手段を有する情報表示装置とを備えていることを特徴としている。
上記制御システム（９）によれば、前記情報表示装置によって、前記制御装置
に対して前記識別情報の履歴情報の転送要求を行うことができ、前記情報表示装
置を介して前記制御装置から転送されてきた前記履歴情報を表示してユ−ザに告
知することができる。したがって、ユ−ザはシステムを構成する制御装置の交換
・修理歴等の正確な情報を簡単に把握することができる。
また本発明に係る制御装置（６）は、デ−タ通信を行うための通信手段を備え
、自己の識別情報が割り付けられた制御装置であって、自己及び通信可能な他の
制御装置における識別情報の履歴情報を記憶する記憶手段と、外部から履歴情報
の出力要求を受けると識別情報の履歴情報を送信する履歴情報送信手段とを備え
ていることを特徴としている。
上記制御装置（６）によれば、外部から履歴情報の出力要求を受けると識別情
報の履歴情報を送信する履歴情報送信手段を備えているので、前記識別情報の履
歴情報を外部へ送信することができる。
また本発明に係る履歴情報表示方法（１）は、自己及び通信可能な他の制御装
置における識別情報の履歴情報を記憶する記憶手段を有する制御装置と、表示機
能を有する情報表示装置との間で行われる履歴情報表示方法であって、前記情報
表示装置が、前記制御装置に対して、前記記憶手段に記憶された前記識別情報の
履歴情報の転送要求を行うステップと、前記制御装置が、前記情報表示装置から
前記転送要求を受けると、前記記憶手段から前記識別情報の履歴情報を読み出し
、前記情報表示装置へ送信するステップと、前記情報表示装置が、前記制御装置
から受信した前記識別情報の履歴情報を表示するステップとを含むことを特徴と
している。
上記履歴情報表示方法（１）によれば、前記情報表示装置によって、前記制御
装置に対して前記識別情報の履歴情報の転送要求を行うことができ、前記情報表
示装置を介して前記制御装置から転送されてきた前記履歴情報を表示してユ−ザ
に告知することができる。したがって、ユ−ザはシステムを構成する制御装置の
交換・修理歴等の正確な情報を簡単に把握することができる。
また本発明に係る車両用制御装置（１）は、車内ＬＡＮを介してデ−タ通信を
行うための通信手段を備え、自己の識別情報が割り付けられた車両用制御装置で
あって、前記自己の識別情報と、前記車内ＬＡＮによって通信可能に接続された
他の制御装置の識別情報とを含む情報を記憶する記憶手段を備えていることを特
徴としている。
上記車両用制御装置（１）によれば、前記自己の識別情報と、前記車内ＬＡＮ
によって通信可能に接続された他の制御装置の識別情報とを含む情報を記憶する
記憶手段を備えているので、前記車内ＬＡＮを利用して前記自己の識別情報と、
前記他の制御装置の識別情報との共有化を図ることができ、前記自己の識別情報
に加え、前記他の制御装置の識別情報の読み出し等が可能となり、前記記憶手段
に記憶された情報を前記車両用制御装置の交換・修理歴等を確認するための処理
に活用することができる。
また本発明に係る車両用制御装置（２）は、車内ＬＡＮを介してデ−タ通信を
行うための通信手段を備え、自己の識別情報が割り付けられた車両用制御装置で
あって、自己及び前記車内ＬＡＮによって通信可能な他の制御装置における識別
情報の履歴情報を記憶する記憶手段を備え、前記他の制御装置と接続した後の最
初の通電時に、自己及び他の制御装置における識別情報の履歴情報を前記記憶手
段に記憶するように構成されていることを特徴としている。
上記車両用制御装置（２）によれば、前記他の制御装置と接続した後の最初の
通電時に、自己及び他の制御装置における識別情報の履歴情報を前記記憶手段に
記憶するように構成されているので、最初の通電後に、前記他の制御装置と同じ
識別情報の履歴情報を共有することができる。
また本発明に係る車両用制御装置（３）は、車内ＬＡＮを介してデ−タ通信を
行うための通信手段を備え、自己の識別情報が割り付けられた車両用制御装置で
あって、自己及び前記車内ＬＡＮによって通信可能な他の制御装置における識別
情報の履歴情報を記憶する記憶手段と、該記憶手段に記憶された識別情報と、前
記他の制御装置から受信した現在の識別情報とを比較する比較手段と、該比較手
段による比較によって識別情報が異なる制御装置があることが検出された場合、
該異なる制御装置の識別情報を付して前記記憶手段に記憶された識別情報の履歴
情報を更新する履歴情報更新手段とを備えていることを特徴としている。
上記車両用制御装置（３）によれば、前記比較手段による比較によって識別情
報が異なる制御装置があることが検出された場合、該異なる制御装置の識別情報
を付して前記記憶手段に記憶された識別情報の履歴情報が更新されるので、前記
他の制御装置との間で前記識別情報の共有化を図ることができ、該識別情報の不
正な書き換え等、車両制御装置の交換・修理歴の偽装行為をチェックすることが
できる。